(57)【特許請求の範囲】
【請求項１】
断面円形の有底筒状に形成されてその内部に歯ブラシを立て掛けた状態にして収容する収容部と、
前記収容部を有するとともに吸込口と前記収容部の上縁部において上方に向かって空気を吹き出す吹出口とを開口した本体筐体と、
前記本体筐体内に設けられて前記吸込口と前記吹出口とを連結する空気通路と、
前記本体筐体内に設けられて前記空気通路を通して前記吸込口から前記吹出口に向かって空気を流通させる送風機と、
前記空気通路内の空気中にイオンを放出するイオン発生装置と、
を備え、
前記本体筐体が断面円形の有底筒状に形成され、前記空気通路が前記本体筐体の内周面と前記収容部の外周面との間に形成されることを特徴とする歯ブラシスタンド。
【請求項２】
前記収容部がすり鉢状をなすことを特徴とする請求項１に記載の歯ブラシスタンド。
【請求項３】
前記収容部の内部に設けられて前記収容部の径方向に沿って凹凸をなしてその凹部に歯ブラシを係止可能な係止部を備えることを特徴とする請求項１または請求項２に記載の歯ブラシスタンド。
【請求項４】
前記本体筐体が、前記送風機及び前記イオン発生装置を有する下部筐体と、前記収容部を有する上部筐体と、に離合自在であるとともに、前記収容部が前記上部筐体に対して着脱自在であることを特徴とする請求項１〜請求項３のいずれか１項に記載の歯ブラシスタンド。
【請求項５】
前記送風機の上方に設けられて前記吹出口から前記空気通路を通って下方に流れる水を受ける受水部を備えることを特徴とする請求項１〜請求項４のいずれか１項に記載の歯ブラシスタンド。
【請求項６】
前記送風機及び前記イオン発生装置に電力を供給するための電源プラグ及び／または電池を備えることを特徴とする請求項１〜請求項５のいずれか１項に記載の歯ブラシスタンド。
【請求項７】
前記送風機及び／または前記イオン発生装置への電力の供給を開始して所定時間経過後電力の供給を停止することを特徴とする請求項１〜請求項６のいずれか１項に記載の歯ブラシスタンド。
【発明の詳細な説明】
【技術分野】
【０００１】
本発明は、使用後の歯ブラシを立て掛けておくための歯ブラシスタンド、特に放電により歯ブラシに向かってイオンを放出するイオン発生装置を備えた歯ブラシスタンドに関する。
【背景技術】
【０００２】
使用後の歯ブラシは一般的に水分を含んだままにして放置されることが多いので、雑菌が発生し易く衛生面での問題があった。そこで、この問題を解決すべく歯ブラシの除菌や脱臭、乾燥を目的とした従来技術が特許文献１〜３に開示されている。
【０００３】
特許文献１に記載された歯ブラシ乾燥機はケース内に歯ブラシ立てが設けられるとともに、そのケースに除菌または殺菌灯と、熱源と、送風機とが備えられている。この従来の歯ブラシ乾燥機は歯ブラシに向かって除菌または殺菌灯の光を照射するとともに温風を吹き付ける。これにより、歯ブラシの除菌または殺菌を行いながら、歯ブラシを乾燥させることができる。
【０００４】
特許文献２及び３に記載された歯ブラシ収納装置（歯ブラシ除菌装置）はケース内に歯ブラシ立てが設けられるとともに、そのケースにイオン発生装置と、空気加熱用ヒーターと、送風ファンとが備えられている。この従来の歯ブラシ収納装置は歯ブラシに向かってイオンを含む温風を吹き付ける。これにより、歯ブラシの除菌や脱臭を行いながら、歯ブラシを乾燥させることができる。
【先行技術文献】
【特許文献】
【０００５】
【特許文献１】特開平９−３５２号公報
【特許文献２】特開２００４−９７２８９号公報
【特許文献３】特開２００４−２４２９７０号公報
【発明の概要】
【発明が解決しようとする課題】
【０００６】
しかしながら、上記従来の歯ブラシ乾燥機や歯ブラシ収納装置は歯ブラシが収納されたケース内の全体にわたって殺菌灯の光を照射したり、イオンを送出したりしている。これにより、所望の場所、すなわち特に除菌や脱臭といった効能を期待したい歯ブラシのブラシ部に対して効果的にイオンを吹き付けることができない。したがって、歯ブラシのブラシ部を清潔で衛生的に良好な状態に維持することが困難になる可能性があるという問題があった。
【０００７】
また、上記従来の歯ブラシ乾燥機や歯ブラシ収納装置において殺菌灯やイオン発生装置による効能を期待するためには歯ブラシをケースに収納して蓋を閉めなければならない。これにより、使用後の歯ブラシの取り扱いに手間が掛かり、使用者が煩わしく感じる可能性が高くなるという問題があった。
【０００８】
本発明は、上記の点に鑑みなされたものであり、歯ブラシのブラシ部に対して容易で効果的にイオンを吹き付けることが可能な歯ブラシスタンドを提供することを目的とする。
【課題を解決するための手段】
【０００９】
上記の課題を解決するため、本発明の歯ブラシスタンドは、断面円形の有底筒状に形成されてその内部に歯ブラシを立て掛けた状態にして収容する収容部と、前記収容部を有するとともに吸込口と前記収容部の上縁部において上方に向かって空気を吹き出す吹出口とを開口した本体筐体と、前記本体筐体内に設けられて前記吸込口と前記吹出口とを連結する空気通路と、前記本体筐体内に設けられて前記空気通路を通して前記吸込口から前記吹出口に向かって空気を流通させる送風機と、前記空気通路内の空気中にイオンを放出するイオン発生装置と、を備えることを特徴としている。
【００１０】
この構成によれば、歯ブラシが歯ブラシスタンドの収容部に立て掛けられる。通常の歯ブラシの構造から考えて歯ブラシはブラシ部が重いので、収容部に立て掛けられると収容部の上縁部においてブラシ部が径方向外側を向く。すなわち、歯ブラシのブラシ部は吹出口の上方に位置する。そして、送風機及びイオン発生装置が作動すると吹出口から歯ブラシのブラシ部に向けてイオンを含む空気が吹付けられる。
【００１１】
また、上記構成の歯ブラシスタンドにおいて、前記収容部がすり鉢状をなすことを特徴としている。
【００１２】
この構成によれば、歯ブラシを歯ブラシスタンドの収容部に立て掛けると、歯ブラシの柄部の先端が常に収容部の内底部の径方向中心部に位置することになる。これにより、収容部の上縁部においてブラシ部が径方向外側を向き易くなる。
【００１３】
また、上記構成の歯ブラシスタンドにおいて、前記本体筐体が断面円形の有底筒状に形成され、前記空気通路が前記本体筐体の内周面と前記収容部の外周面との間に形成されることを特徴としている。
【００１４】
この構成によれば、本体筐体の上面であって収容部の上縁部において吹出口が環状になる。これにより、歯ブラシを収容部の上縁部のどの箇所に立て掛けても、イオンを含む空気がブラシ部に吹き付けられる。
【００１５】
また、上記構成の歯ブラシスタンドにおいて、前記収容部の内部に設けられて前記収容部の径方向に沿って凹凸をなしてその凹部に歯ブラシを係止可能な係止部を備えることを特徴としている。
【００１６】
この構成によれば、歯ブラシが係止部の凹部で保持され、安定した状態で収容部内に収まる。これにより、収容部の上縁部においてブラシ部が径方向外側を向き易くなる。
【００１７】
また、上記構成の歯ブラシスタンドにおいて、前記本体筐体が、前記送風機及び前記イオン発生装置を有する下部筐体と、前記収容部を有する上部筐体と、に離合自在であるとともに、前記収容部が前記上部筐体に対して着脱自在であることを特徴としている。
【００１８】
この構成によれば、本体筐体や収容部の排水や清掃、メンテナンスが容易になる。したがって、イオン発生装置の周辺や空気通路、吹出口が清潔に保たれるので、吹出口から歯ブラシのブラシ部に向けてイオンを含む空気を吹き付ける作用が向上する。
【００１９】
また、上記構成の歯ブラシスタンドにおいて、前記送風機の上方に設けられて前記吹出口から前記空気通路を通って下方に流れる水を受ける受水部を備えることを特徴としている。
【００２０】
この構成によれば、歯ブラシから離れるなどして吹出口に浸入した水の送風機への付着が妨げられる。したがって、送風機の故障が回避される。
【００２１】
また、上記構成の歯ブラシスタンドにおいて、前記送風機及び前記イオン発生装置に電力を供給するための電源プラグ及び／または電池を備えることを特徴としている。
【００２２】
この構成によれば、歯ブラシスタンドは電源プラグ、すなわち商用交流電源から供給される電力や電池から供給される電力で動作する。したがって、歯ブラシスタンドは商用交流電源がなかったり、停電したりしても使用できる。
【００２３】
また、上記構成の歯ブラシスタンドにおいて、前記送風機及び／または前記イオン発生装置への電力の供給を開始して所定時間経過後電力の供給を停止することを特徴としている。この構成によれば、消費電力が抑制される。
【発明の効果】
【００２４】
本発明の構成によれば、歯ブラシを歯ブラシスタンドの収容部に立て掛けるだけで吹出口から歯ブラシのブラシ部に向けてイオンを含む空気を吹付けることができる。したがって、歯ブラシのブラシ部に対して容易で効果的にイオンを吹き付けることが可能な歯ブラシスタンドを提供することができる。
【図面の簡単な説明】
【００２５】
【図１】本発明の実施形態に係る歯ブラシスタンドの斜視図である。
【図２】図１に示す歯ブラシスタンドの垂直断面正面図である。
【図３】図１に示す歯ブラシスタンドの上面図である。
【図４】図１の歯ブラシスタンドの構成を示すブロック図である。
【図５】図１に示す歯ブラシスタンドの斜視図にして、上部筐体と下部筐体とを分離させた状態を示すものである。
【図６】図１に示す歯ブラシスタンドの収容部の斜視図である。
【図７】図１に示す歯ブラシスタンドの斜視図にして、バッテリーパックを取り付けた状態を示すものである。
【発明を実施するための形態】
【００２６】
以下、本発明の実施形態に係る歯ブラシスタンドを図１〜図７に基づき説明する。
【００２７】
最初に、本発明の実施形態に係る歯ブラシスタンドについて、図１及び図２を用いてその構造の概略を説明する。図１は歯ブラシスタンドの斜視図、図２は歯ブラシスタンドの垂直断面正面図である。
【００２８】
歯ブラシスタンド１は、図１及び図２に示すように断面円形の有底筒状に形成された本体筐体２と、同様に断面円形の有底筒状に形成された収容部３とを備えている。
【００２９】
収容部３は上面が開口してすり鉢状をなし、本体筐体２の上部に配置されている。歯ブラシ１００は上方から収容部３の内部に挿入されて立て掛けた状態にして収容される。通常の歯ブラシ１００の構造から考えて歯ブラシ１００はブラシ部１０１が重いので、図１及び図２に示すように収容部３に立て掛けられると収容部３の上縁部においてブラシ部１０１が径方向外側を向く。
【００３０】
本体筐体２は送風機７及びイオン発生装置６を有する下部筐体２Ｌと、収容部３を有する上部筐体２Ｕとに離合自在である（図５参照）。下部筐体２Ｌは上下方向において一定の外径を有する断面円形の有底筒状に形成されている。上部筐体２Ｕは下端が下部筐体２Ｌと同じ外径を有する断面円形をなし、上方に向かうに従って滑らかに外径が広がる筒状に形成されている。本体筐体２は下部に開口した吸込口４と上部に開口した吹出口５とを備えている。
【００３１】
本体筐体２内の下部であって吸込口４の近傍にはイオン発生装置６が配置されている。本体筐体２内の下部であってイオン発生装置６の上方には送風機７が配置されている。また、本体筐体２の内部には不図示の制御基板が設けられている。
【００３２】
本体筐体２の下部外側には制御基板から延びる電源コード８が露出している。電源コード８の先端にはＡＣアダプター９及び電源プラグ１０が設けられている。歯ブラシスタンド１は電源プラグ１０及びＡＣアダプター９を介して商用交流電源から電力の供給を受け、動作する。
【００３３】
続いて、歯ブラシスタンド１の詳細な構成について、図１及び図２に加えて図３〜図７を用いて説明する。図３は歯ブラシスタンド１の上面図、図４は歯ブラシスタンド１の構成を示すブロック図、図５は歯ブラシスタンド１の斜視図にして、上部筐体と下部筐体とを分離させた状態を示すもの、図６は歯ブラシスタンド１の収容部３の斜視図、図７は歯ブラシスタンド１の斜視図にして、バッテリーパックを取り付けた状態を示すものである。なお、図２に描画した白抜き矢印は空気の流通方向を示し、実線矢印は水の排出方向を示している。
【００３４】
吸込口４は、図１及び図２に示すように本体筐体２の下部に設けられ、本体筐体２の周面に沿って複数が並べて配置されている。吸込口４は径方向に向かって開口して本体筐体２の内部と外部とを連通させている。吹出口５は本体筐体２の上面であって収容部３の上縁部に設けられている。吹出口５は環状をなして上方に向かって開口して本体筐体２の内部と外部とを連通させている。
【００３５】
本体筐体２内には上下方向に延びて吸込口４と吹出口５とを連結する空気通路１１が形成されている。空気通路１１は本体筐体２内の下部であって収容部３の下方において断面円形をなしている。本体筐体２内の上部において、空気通路１１は本体筐体２の内周面と収容部３の外周面との間に形成された断面環状をなしている。収容部３は、図２及び図６に示すようにその外周面に径方向外側に向かって突出するスペーサー３ａを備えている。このスペーサー３ａにより本体筐体２の内周面と収容部３の外周面との間に隙間が形成され、断面環状をなす空気通路１１が形成される。スペーサー３ａは、例えば計４個が収容部３の外周面の同じ高さに設けられ、周方向に９０°間隔で配置されている。
【００３６】
送風機７は軸流ファンで構成され、図２に示すように本体筐体２内の下部の空気通路１１内に設けられている。送風機７は空気通路１１の略水平方向に沿った断面全域を覆うように配置されている。送風機７はそのハウジングの軸線方向に開口する吸気口（図示せず）が吸込口４に向かって配置され、吸気口に対して軸線方向の反対側で開口する排気口（図示せず）が吹出口５に向かって配置されている。これにより、送風機７を駆動させると、図２に白抜き矢印で示したように、歯ブラシスタンド１は吸込口４から吸い込んだ外部の空気を空気通路１１内に流通させて吹出口５から本体筐体２及び収容部３の上方に向かって吹き出す。
【００３７】
イオン発生装置６は空気通路１１に隣接させて送風機７に対して空気流通方向上流側、すなわち送風機７の下方に配置されている。イオン発生装置６はイオンを放出するための放電に用いる電極６ａやその他電子部品がハウジングに設けられてパッケージ化されている。イオン発生装置６は空気通路１１に臨む一対の電極６ａを有し、空気通路１１内を流通する空気に対して電極６ａで放電により発生させたイオンを含ませるように放出する。
【００３８】
イオン発生装置６の電極６ａには交流波形またはインパルス波形から成る電圧が印加される。一方の電極６ａには正電圧が印加され、コロナ放電による水素イオンが空気中の水分と結合して主としてＨ+（Ｈ2Ｏ）ｍから成るプラスイオンを発生する。他方の電極６ａには負電圧が印加され、コロナ放電による酸素イオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３９】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、プラスイオン及びマイナスイオンを発生して吹出口５から吹き出すことにより、吹出口５の上方に位置する歯ブラシ１００のブラシ部１０１の除菌及び脱臭を行うことができる。
【００４０】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４１】
なお、本実施形態ではイオン発生装置６によってプラスイオン及びマイナスイオンを発生しているが、マイナスイオンのみを発生しても良い。
【００４２】
また、本発明において、イオンには帯電微粒子水も含むものとする。このとき、イオン発生装置６は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出されるマイナスイオンも発生する。
【００４３】
送風機７の上方には受水部１２が設けられている。受水部１２は本体筐体２の内周面に沿って形成された樋状をなしている。受水部１２に対応する本体筐体２の周面には排水口１２ａが設けられている。受水部１２は歯ブラシ１００から離れるなどして吹出口５に浸入して空気通路１１を通って下方に流れる水を受け、排水口１２ａを介してその水を本体筐体２の外部へと排出する。
【００４４】
収容部３の上部には、図１〜図３に示すように歯ブラシ１００を係止可能な係止部１３が設けられている。係止部１３は収容部３の内部に設けられて収容部３の径方向に沿って平面視略台形状の凹凸をなしている。係止部１３の凹部１３ａは、図１に示すように歯ブラシ１００の柄部１０２を収容可能な大きさをなし、収容部３内において容易に変位しないように歯ブラシ１００を係止することが可能である。凹部１３ａは、例えば計６個が収容部３の内周面の同じ高さに設けられ、周方向に６０°間隔で配置されている。すなわち、係止部１３は計６本の歯ブラシ１００を係止可能である。
【００４５】
ここで、本体筐体２内に設けられた不図示の制御基板は歯ブラシスタンド１の動作制御のため、図４に示すＣＰＵ１４やその他の図示しない電子部品で構成されている。ＣＰＵ１４は中央演算処理装置であって、記憶部１５等に記憶、入力されたプログラム、データに基づきイオン発生装置６や送風機７などといった構成要素を制御して一連の送風運転やイオン送出運転を実現する。なお、歯ブラシスタンド１は送風機７を駆動するためのモータドライバ７ａを備えている。ＣＰＵ１４はモータドライバ７ａに制御信号を送信して送風機７を駆動させる。
【００４６】
上記構成の歯ブラシスタンド１において送風運転が指示されると、送風機７及びイオン発生装置６が駆動される。これにより、本体筐体２は吸込口４から歯ブラシスタンド１の外部の空気を吸い込む。吸込口４から吸い込まれた気流は図２に白抜き矢印で示したように空気通路１１を上方に向かって流通する。空気通路１１を流通する気流には吸込口４を入ってすぐの箇所においてイオン発生装置６が放出するイオンが含まれる。イオンを含む気流は送風機７に流入する。
【００４７】
送風機７を通過した気流は環状になって収容部３の径方向外側の空気通路１１を流通する。そして、本体筐体２の上面であって収容部３の上縁部に設けた吹出口５から上方に向けてイオンを含む気流が送出される。図１及び図２に示すように歯ブラシ１００が収容部３内に立て掛けられていると、通常歯ブラシ１００のブラシ部１０１は吹出口５の上方に位置する。したがって、送風機７及びイオン発生装置６が作動すると吹出口５から歯ブラシ１００のブラシ部１０１に向けてイオンを含む空気が吹付けられる。これにより、イオンが歯ブラシ１００のブラシ部１０１に集中して吹き付けられてブラシ部１０１の除菌や脱臭が行われる。
【００４８】
なお、歯ブラシスタンド１は上記のように送風運転とイオン送出運転とを同時に実行できるほか、送風運転とイオン送出運転とを各々単独で実行することも可能である。
【００４９】
また、設定により、歯ブラシスタンド１は送風機７やイオン発生装置６に電力の供給を開始して所定時間経過後に電力の供給を停止することができる。この所定時間は送風機７やイオン発生装置６の任意の運転時間であって、例えば１分などといった時間に適宜設定することができ、記憶部１５等に記憶させておくことができる。
【００５０】
上記のように、歯ブラシスタンド１は歯ブラシを立て掛けた状態にして収容する収容部３と、収容部３を有するとともに吸込口４と収容部３の上縁部において上方に向かって空気を吹き出す吹出口５とを開口した本体筐体２と、本体筐体２内に設けられて吸込口４と吹出口５とを連結する空気通路１１と、空気通路１１を通して吸込口４から吹出口５に向かって空気を流通させる送風機７と、空気通路１１内の空気中にイオンを放出するイオン発生装置６と、を備えている。収容部３に立て掛けられた歯ブラシ１００は通常ブラシ部１０１が重いので、収容部３の上縁部においてブラシ部１０１が径方向外側を向き、吹出口５の上方に位置する。そして、送風機７及びイオン発生装置６が作動すると吹出口５から歯ブラシ１００のブラシ部１０１に向けてイオンを含む空気が吹付けられる。これにより、歯ブラシ１００を収容部３に立て掛けるだけで容易にブラシ部１０１を清潔で衛生的に良好な状態に維持することができる。
【００５１】
また、歯ブラシスタンド１は収容部３がすり鉢状をなしているので、歯ブラシ１００を収容部３に立て掛けると、歯ブラシ１００の柄部１０２の先端が常に収容部３の内底部の径方向中心部に位置することになる（図２参照）。これにより、収容部３の上縁部においてブラシ部１０１が径方向外側を向き易くなる。したがって、吹出口５からブラシ部１０１に向けてイオンを含む空気を吹付け易くすることが可能である。
【００５２】
そして、歯ブラシスタンド１は本体筐体２が断面円形の有底筒状に形成され、空気通路１１が本体筐体２の内周面と収容部３の外周面との間に形成されているので、本体筐体２の上面であって収容部３の上縁部において吹出口５が環状になる。したがって、歯ブラシ１００を収容部３の上縁部のどの箇所に立て掛けても、イオンを含む空気をブラシ部１０１に吹き付けることが可能である。
【００５３】
また、歯ブラシスタンド１は収容部３の内部に設けられて収容部３の径方向に沿って凹凸をなしてその凹部１３ａに歯ブラシ１００を係止可能な係止部１３を備えているので、歯ブラシ１００が係止部１３の凹部１３ａで保持されて安定した状態で収容部３内に収まる。したがって、収容部３の上縁部においてブラシ部１０１が径方向外側を向き易くなるようにすることができる。
【００５４】
そして、歯ブラシスタンド１は本体筐体２が、図５に示すように送風機７及びイオン発生装置６を有する下部筐体２Ｌと、収容部３を有する上部筐体２Ｕと、に離合自在である。さらに、収容部３は、図６に示すように上部筐体２Ｕに対して着脱自在になっている。これにより、本体筐体２や収容部３の排水や清掃、メンテナンスが容易になる。したがって、イオン発生装置６の周辺や空気通路１１、吹出口５が清潔に保たれるので、吹出口５から歯ブラシ１００のブラシ部１０１に向けてイオンを含む空気を吹き付ける作用を向上させることができる。
【００５５】
また、歯ブラシスタンド１は送風機７の上方に設けられて吹出口５から空気通路１１を通って下方に流れる水を受ける受水部１２を備えているので、歯ブラシ１００から離れるなどして吹出口５に浸入した水の送風機７への付着が妨げられる。したがって、送風機７の故障を回避することが可能である。
【００５６】
また、歯ブラシスタンド１は図１に示した電源プラグ１０のほかに、図７に示す電池であるバッテリーパック１６から送風機７及びイオン発生装置６に電力を供給することができる。バッテリーパック１６は本体筐体２と同じ外径の断面円形をなして本体筐体２の下部に対して着脱自在である。バッテリーパック１６の電池は乾電池等の一次電池で構成されていても良いし、リチウムイオン電池等の二次電池で構成されていても良い。これにより、歯ブラシスタンド１は電源プラグ１０、すなわち商用交流電源から供給される電力や電池から供給される電力で動作する。したがって、歯ブラシスタンド１は商用交流電源がなかったり、停電したりしても使用できる。
【００５７】
また、歯ブラシスタンド１は送風機７やイオン発生装置６への電力の供給を開始して所定時間経過後電力の供給を停止することができる。これにより、消費電力を抑制することができ、バッテリーパック１６を使用した場合においては電池の電力消耗を抑制することが可能である。
【００５８】
そして、本発明の上記実施形態の構成によれば、歯ブラシ１００を歯ブラシスタンド１の収容部３に立て掛けるだけで吹出口５から歯ブラシ１００のブラシ部１０１に向けてイオンを含む空気を吹付けることができる。したがって、歯ブラシ１００のブラシ部１０１に対して容易で効果的にイオンを吹き付けることが可能な歯ブラシスタンド１を提供することができる。
【００５９】
歯ブラシスタンド１を使用することにより、イオンが歯ブラシ１００のブラシ部１０１に集中して吹き付けられてブラシ部１０１の除菌や脱臭を行うことができる。したがって、歯ブラシ１００を収容部３に立て掛けるだけで容易にブラシ部１０１を清潔で衛生的に良好な状態に維持することが可能である。
【００６０】
イオンは発生した場所から距離が長いほど、また時間が経つほど急激に減少する性質を持っている。しかしながら、本発明のイオン発生装置６を搭載した歯ブラシスタンド１はイオンを発生させてから僅か１秒前後でイオン発生装置６から十数センチ先の歯ブラシ１００のブラシ部１０１にイオンが到達する。これにより、イオンは高濃度となり、その効果は飛躍的に増大することとなる。特にプラスイオンとマイナスイオンとを発生させる場合、プラスイオンとマイナスイオンとの衝突による中和失活が発生し易いため、より顕著な効果を奏する。
【００６１】
以上、本発明の実施形態につき説明したが、本発明の範囲はこれに限定されるものではなく、発明の主旨を逸脱しない範囲で種々の変更を加えて実施することができる。
【００６２】
例えば、本発明の実施形態で採用したスペーサー３ａや凹部１３ａの形状や個数、配置間隔は上記形状や数量に限定されるわけではなく、他の形状や数量を採用しても構わない。
【産業上の利用可能性】
【００６３】
本発明は、使用後の歯ブラシを立て掛けておくための歯ブラシスタンドにおいて利用可能である。
【符号の説明】
【００６４】
１    歯ブラシスタンド
２    本体筐体
３    収容部
３ａ    スペーサー
４    吸込口
５    吹出口
６    イオン発生装置
６ａ    電極
７    送風機
１０    電源プラグ
１１    空気通路
１２    受水部
１２ａ    排水口
１３    係止部
１３ａ    凹部
１４    ＣＰＵ
１６    バッテリーパック（電池）
１００    歯ブラシ
１０１    ブラシ部
１０２    柄部
【図１】
0005960406.tif 000002
【図２】
0005960406.tif 000003
【図３】
0005960406.tif 000004
【図４】
0005960406.tif 000005
【図５】
0005960406.tif 000006
【図６】
0005960406.tif 000007
【図７】
0005960406.tif 000008